(57)【特許請求の範囲】
【請求項１】
縦型ポンプの大シリンダ４内から瞬間上昇可能に上方付勢されて起立する作動部材ステム６の上端部に嵌合させたノズル孔付きの押下げヘッド21であって、該押下げヘッドの上部内を前後方向に横設された小シリンダ22となし、該小シリンダ内へ、前方付勢させて嵌合された弁棒24前端と、小シリンダ前壁に穿設したノズル孔23とで第２吐出弁25を形成し、
押下げヘッドの押下げ下降により、弁棒24が付勢に抗し後退して第２吐出弁25を開弁する運動変更機構を有する押下げヘッドにおいて、
上記押下げヘッド21をステム６に対して小ストローク上下動可能に嵌合させると共に、小シリンダ底壁22a に穿設させてステム上部を挿入させた挿通透孔29を囲成させて、小シリンダ底壁22a から該小シリンダ内と連通する小補助シリンダ30を垂下させ、又該小補助シリンダ内へ、上記ステムの上部外面へ作動部材付勢力よりも弱く上方付勢させて上下動可能に嵌合させた第２筒状ピストン31を小シリンダ底壁22a へ圧接させて嵌合させ、ステム６に対する押下げヘッド下降時における小シリンダおよび小補助シリンダ内の高圧化で、上記第２筒状ピストン31が下降可能に形成した
ことを特徴とする、縦形ポンプの押下げヘッド。
【請求項２】
上記ステム上方の弁棒部分を小外径部として、弁棒後部が形成する後方大径部37前面を前部小径のテーパ状カム面38に形成し、かつ該テーパ状カム面の下面へステム６の上面後部を当接させて、押下げヘッド21の押下げでステム上面後部がテーパ状カム面38に沿って上方滑動して小シリンダ内へ突出することで、弁棒24が後退する運動変更機構となし、かつ該押下げ位置からの押下げヘッド上昇による、小シリンダ22内からのステム上部抜出しで、該小シリンダ内が負圧化してノズル孔23を介して、外気を吸入可能に形成した
ことを特徴とする、請求項１記載の縦形ポンプの押下げヘッド。
【請求項３】
小シリンダ22の後面を密閉すると共に、弁棒24外周面と小シリンダ内壁面との間に小間隙を形成した
ことを特徴とする、請求項１又は２記載の縦形ポンプの押下げヘッド。
【請求項４】
弁棒の後方大外径部37を前面閉塞でかつ後面開口の第１筒部45に形成すると共に、該第１筒部の内面へ水密にかつ第１筒部の摺動が自在に嵌合する第２筒部46を小シリンダ後壁の前面から突出させ、これ等両筒部内の後面と前面との間に弁棒付勢用の第３コイルスプリング43を介装させた
ことを特徴とする請求項３記載の縦形ポンプの押下げヘッド。
【発明の詳細な説明】
【０００１】
【発明の属する技術分野】
本発明は、縦形ポンプの押下げヘッドに関する。
【０００２】
【従来の技術】
例えば特開平9-155254号が示すように、縦形ポンプの押下げヘッド上部内を小シリンダに形成して、該小シリンダ前壁にノズル孔を穿設させ、又該小シリンダ内に前端部を弁体とするピストンを前方付勢させて嵌合させ、かつ縦形ポンプの大シリンダ内から起立する作動部材ステムの内部と上記小シリンダ内とを連通させると共にピストン後部からカム付き係合板を垂下させて、押下げヘッドが下降したとき、上記カムがピストンを後退させることで弁体がノズル孔を開き、すると高圧化された大シリンダ内液体が作動部材のステム内を通り、又小シリンダ内を通ってノズル孔から噴出し、押下げヘッドを解放すると作動部材の上端部としての押下げヘッドが上昇すると共にピストンが前進してノズル孔が閉塞するよう設けたものが知られている。
【０００３】
【発明が解決しようとする課題】
従来の押下げヘッドは、作動部材押下げによる液体噴出後の作動部材上昇時に、縦形ポンプが有する大シリンダ内、ステム内、押下げヘッドの小シリンダ内に液体を吸込むこととなるため、再度押下げヘッドを押下げする際に力を要し、その押下げが行い難い欠点があった。
【０００４】
本発明はその押下げを容易に行えるよう設けたものである。
【０００５】
【課題を解決するための手段】
第１の手段として縦型ポンプの大シリンダ４内から瞬間上昇可能に上方付勢されて起立する作動部材ステム６の上端部に嵌合させたノズル孔付きの押下げヘッド21であって、該押下げヘッドの上部内を前後方向に横設された小シリンダ22となし、該小シリンダ内へ、前方付勢させて嵌合された弁棒24前端と、小シリンダ前壁に穿設したノズル孔23とで第２吐出弁25を形成し、
押下げヘッドの押下げ下降により、弁棒24が付勢に抗し後退して第２吐出弁25を開弁する運動変更機構を有する押下げヘッドにおいて、
上記押下げヘッド21をステム６に対して小ストローク上下動可能に嵌合させると共に、小シリンダ底壁22a に穿設させてステム上部を挿入させた挿通透孔29を囲成させて、小シリンダ底壁22a から該小シリンダ内と連通する小補助シリンダ30を垂下させ、又該小補助シリンダ内へ、上記ステムの上部外面へ作動部材付勢力よりも弱く上方付勢させて上下動可能に嵌合させた第２筒状ピストン31を小シリンダ底壁22a へ圧接させて嵌合させ、ステム６に対する押下げヘッド下降時における小シリンダおよび小補助シリンダ内の高圧化で、上記第２筒状ピストン31が下降可能に形成した。
【０００６】
第２の手段として、上記第１の手段を有すると共に上記ステム上方の弁棒部分を小外径部として、弁棒後部が形成する後方大径部37前面を前部小径のテーパ状カム面38に形成し、かつ該テーパ状カム面の下面へステム６の上面後部を当接させて、押下げヘッド21の押下げでステム上面後部がテーパ状カム面38に沿って上方滑動して小シリンダ内へ突出することで、弁棒24が後退する運動変更機構となし、かつ該押下げ位置からの押下げヘッド上昇による、小シリンダ22内からのステム上部抜出しで、該小シリンダ内が負圧化してノズル孔23を介して、外気を吸入可能に形成した。  第３の手段として、上記第１又は第２の手段を有すると共に小シリンダ22の後面を密閉すると共に、弁棒24外周面と小シリンダ内壁面との間に小間隙を形成した。
【０００７】
第４の手段として、上記第３の手段を有すると共に弁棒の後方大外径部37を前面閉塞でかつ後面開口の第１筒部45に形成すると共に、該第１筒部の内面へ水密にかつ第１筒部の摺動が自在に嵌合する第２筒部46を小シリンダ後壁の前面から突出させ、これ等両筒部内の後面と前面との間に弁棒付勢用の第３コイルスプリング43を介装させた。
【０００８】
【発明の実施の形態】
以下まず図１から図３が示す第１実施形態について説明すると、１は縦形ポンプの全体を示す。該ポンプは公知のため簡単に説明すると、容器体口頸部外面への嵌合用装着筒２を有する装着部材３の内部から大シリンダ４を垂下し、かつ該シリンダ内から、第１筒状ピストン５と、該ピストンを下端部に有するステム６と、該ステム上端に嵌合させた押下げヘッド21とからなる作動部材７をシリンダ内に設けた第１コイルスプリング８で瞬間上昇可能に上方付勢させて起立し、該作動部材の上下動で容器体内液体を大シリンダ下端部内に設けた吸込み弁９を介して大シリンダ内に吸込み、かつステムの下部ないし上部内に設けた第１吐出弁10を介して押下げヘッドの上部前面に穿設したノズル孔から噴出可能としている。尚装着部材３の上面外周からは係合筒11を起立し、該係合筒内へ摺動可能に押下げヘッドの周壁27下部を嵌合させ、係合筒上端内面と外周壁の下端外面とにそれぞれ周設させた係合突条を係合させて押下げヘッドの上方抜出しを防止している。
【０００９】
押下げヘッド21の上部内には小シリンダ22が前後方向へ横設されており、該小シリンダ前壁に穿設したノズル孔23内面を、小シリンダ内へ摺動自在にかつ前方付勢させて嵌合された弁棒24前端の弁体で閉塞して第２吐出弁25とし、その弁棒は、押下げヘッド押下げにより自動的に後退して第２吐出弁を解放可能に設けている。
【００１０】
本発明において押下げヘッド21は、頂壁26外周から周壁27を垂下し、その周壁上部内に前後方向へ横設させて前壁28中心部にノズル孔23を有する小シリンダ22を有する。又その小シリンダ底壁22a の前後方向中心部にはステム挿通透孔29を有し、その挿通透孔29を囲成させて小シリンダ底壁から小補助シリンダ30を垂下する。
【００１１】
小補助シリンダ30内へは第２筒状ピストン31を嵌合させる。該筒状ピストン31は、ステム上部に上向き段部6aを介して設けた小外径部6b外面へ嵌合されており、筒状ピストンの下部外面に周設した突条32を小補助シリンダ30の下部内面に周設した凹溝30a の内面へ一定ストローク上下動可能に嵌合させて、上記上向き段部6aと、筒状ピストンの中間部内面に設けた第１下向き段部33との間に、小外径部下方部分に嵌合させた第２コイルスプリング34の下端と上端とを係合させて上方付勢されている。又筒状ピストンの下部内面に第２下向き段部35を周設しており、該段部は図２が示すように、押下げヘッド21押下げ時に、その第２下向き段部35の外周部下面がステムの上向き段部6aの外周部へ接し、又第２筒状ピストン31上面が小シリンダ底壁22a の下面に接することで、該第２筒状ピストン31を介して押下げヘッド21がステム６を押下げ可能としている。
【００１２】
上記小シリンダ22内へは弁棒24を前方付勢させて嵌合させている。該弁棒前端はテーパ状に小径化させて既述ノズル孔23内へ嵌合させて第２吐出弁25とし、又中間部と後部とを大外径部とし、かつそれ等の間を小外径部として、中間大外径部36は外向きフランジ状としてその外周部に液体流路としての切欠きを複数設け、又後方大外径部37はその前面を前部小径のテーパ状カム面38とし、かつその後面には凹部39を穿設している。上記各大外径部外径は小シリンダ22内径よりも小外径としており、後方大外径部37外面には複数の通路形成溝40を穿設している。
【００１３】
小シリンダ22の後端部内へは、前面外周部にリング状凹溝41を有する後端部閉塞部材42を水密に嵌合させており、その凹溝内に後端部を嵌合させて前方突設した第３コイルスプリング43前端を後方大外径部37後面の凹部39内へ嵌合させて弁棒24を前方付勢させている。
【００１４】
上記第３コイルスプリング43で前方付勢されて、弁棒24前端がノズル孔23を密閉する図１の状態において、ステム６上端は小シリンダ底壁22a の内面とほぼ面一に位置し、このときステム上面後部は弁棒後部前面のテーパ状カム面38の下端部に位置し、又ステム上方には弁棒中間部と後部との間に形成した弁棒24の小外径部を位置させている。
【００１５】
該図１の縦形ポンプを容器体に装着させておき、押下げヘッド21を押下げすると図２が示すように、ステム６の下降に先だち、まず第２筒状ピストン31および押下げヘッド21がステムに対して下降し、該下降により弁棒後部前面のテーパ状カム面38はステム上面後部で後方へ押し込まれて弁棒24が後退し、第２吐出弁25が開く。該状態から更に押下げヘッド21を押下げると、第２筒状ピストン31を介してステム６が押下げられることとなり、すると第１吐出弁10が開き、大シリンダ内液体がステム６内および小シリンダ22内を通ってノズル孔23から噴出する。
【００１６】
次いで押下げヘッド21を解放すると、作動部材上方付勢は瞬間上昇可能に強く設けてあるため、押下げヘッド上面から指を離す前に作動部材が上昇し、作動部材が上限に達した後に押下げヘッドから指を離すことが可能となる。従ってまず第１吐出弁10が閉じて第１筒状ピストン付きのステム６が上昇することで大シリンダ内へ液体を吸込み、ステムが上限へ達した後、指が押下げヘッドから離れることで押下げヘッド21は第２筒状ピストン31を介して第２コイルスプリング34によって図１のように押上げられ、又該押上げによりステム６上部が小シリンダ22内から抜け出すことで前方付勢されている弁棒24は前進して第２吐出弁25を閉塞する。
【００１７】
そのステム上部が小シリンダ22内から抜出すことで、小シリンダ内容積は拡開して負圧化することとなり、該負圧化でノズル孔23を通って外気が小シリンダ内へ吸込みされる。尚弁棒24もそのとき前進して弁棒の後方大外径部37よりも前方の小シリンダ内容積は挾少化することとなるが、弁棒の大外径部外径よりも小シリンダ内径は大としてあるため、該弁棒前進によっては小シリンダ内が高圧化することはない。再度押下げヘッド21を押下げした際、まずステム６に対して押下げヘッドが下降するが、このとき上記のように小シリンダ内へは外気が流入しているため、まず外気が圧搾されて僅かに下降し、ほぼ同時にステム上端面後部がテーパ状カム面38を押圧することで弁棒24を後退させて第２吐出弁25を開くが、このときステム６上部は小シリンダ22内へ入って該小シリンダ内を高圧化することとなるため、該高圧化により第２筒状ピストン31が図３のように下降してその高圧化を解消する。よって押下げヘッド21はステム６に対して容易に下降することとなり、このようにステム押下げに先だってまず押下げヘッドが下降した後、ステム６が押下げられることとなる。
【００１８】
図４から図６は第２実施形態を示す。第１実施形態と同一部分については同一符号を付することで説明を省略し、相違部分についてだけ説明すると、該実施形態は、縦形ポンプに用いている各コイルスプリングが、その縦形ポンプの噴出用液体で濡れない構造としたことを第１実施形態との主たる相違とする。
【００１９】
上記目的のために、押下げヘッド嵌合部分よりも下方のステム部分に外向きフランジ12を付設して該フランジ下面と装着部材３上面との間に第１コイルスプリング８を設けて作動部材７を上方付勢し、又弁棒24前方付勢用の第３コイルスプリング43は、弁棒後方大外径部分を前面閉塞かつ後面開口の第１筒部45となし、その第１筒部45内へ、小シリンダ後壁から前方突出させた第２筒部46を水密に、かつ第１筒部の摺動が可能に嵌合させ、それ等第１筒部と第２筒部との内部に介装させている。第１筒部の前壁、つまり弁棒後方大外径部の前壁後面の中心部からは小外径の係合筒47を後方突出させて第３コイルスプリング43の前部を嵌合させている。
【００２０】
第２筒状ピストン31上方付勢用の第２コイルスプリング34は、その第２筒状ピストン内面がステム上部外面へ水密に接する摺接面よりも下方に位置するから噴出用液体は濡れるおそれはなく、よって第１実施形態の場合と同じでよい。
【００２１】
尚該第２実施形態の場合、第２筒状ピストン31は、ステムに付設した外向きフランジ12から起立させた筒12a 上面と小シリンダ底壁22a との間を上下動するよう設けている。又大シリンダ４の吸込み弁はポペット弁13で形成し、ステム下端面を開孔してその下部内へ、ポペット弁から起立する棒部14を水密に、かつ上下動自在に嵌合させている。該構造も公知である。
【００２２】
その他部分は第１実施形態と同様であり、よって第２実施形態の縦形ポンプは第１実施形態の場合と同様の作用を有することとなる。
【００２３】
【発明の効果】
本発明は既述構成としたから、請求項１記載の場合は、押下げヘッドの押下げ解放の際、ステム６に遅れて押下げヘッドが上昇し、該上昇により小シリンダ内からステム上部が抜出すことでの負圧化により小シリンダ内には外気が流入しており、よって押下げヘッド押下げの際は小シリンダ内空気が加圧されると共に該加圧で小シリンダおよび小補助シリンダ30内が加圧されると、ステム６下降に先だって第２筒状ピストン31が下降することとなり、よってその押下げを容易に行うことが出来る。
【００２４】
請求項２の場合は、ステム上方の弁棒部分を小外径とし、かつ該弁棒後部の前面をテーパ状カム面38として、押下げヘッド下降でステム上端後部が上記カム面を後方へ押圧して弁棒を後退させて第２吐出弁25が開くよう設けたから、ステム６は大シリンダ内と小シリンダ内とを連通する通路管としての機能のほかに弁棒24を後方押込みする機能を兼用することとなって構成を簡易化できる。
【００２５】
請求項３の場合は、弁棒外周面と小シリンダ内壁面との間に小間隙を設けたから、小シリンダ内壁面に対する弁棒外周面の摩擦抵抗がなく弁棒24を摺動し易くできる。
【００２６】
請求項４の場合は、弁棒24を前方付勢する第３コイルスプリング43が、小シリンダ内へ入った液体に触れることがなく、発錆等のおそれがない。
【図面の簡単な説明】
【図１】  本発明押下げヘッドを有する縦形ポンプの断面図である。
【図２】  縦形ポンプのステムに対して、押下げヘッドが下降した状態を示す、図１縦形ポンプの断面図である。
【図３】  押下げヘッドを僅かに押下げた状態で示す、図１縦形ポンプの断面図である。
【図４】  第２実施形態で示す、押下げヘッドを嵌合させた縦形ポンプの断面図である。
【図５】  ステムに対して押下げヘッドが下降した状態で示す、図４縦形ポンプの断面図である。
【図６】  押下げヘッドが僅かに下降した状態で示す、図４縦形ポンプの断面図である。
【符号の説明】
６…ステム                    ７…作動部材
21…押下げヘッド              22…小シリンダ
24…弁棒                      25…第２吐出弁
29…ステム挿通透孔            30…小補助シリンダ
34…第２コイルスプリング      38…テーパ状カム面
43…第３コイルスプリング
【図１】
0003812718.tif 000002
【図２】
0003812718.tif 000003
【図３】
0003812718.tif 000004
【図４】
0003812718.tif 000005
【図５】
0003812718.tif 000006
【図６】
0003812718.tif 000007